(57)【要約】【課題】長期間にわたって安定した音響抵抗値を示す後部音響抵抗材を備えた単一指向性コンデンサマイクロホンユニットを提供する。【解決手段】音源側に向けられる前部側に前部音響端子２１を有し、前部音響端子２１から所定距離離れた後部側に後部音響端子２２を備えているユニットケース２内に、支持リング３２に張設された振動板３１と絶縁座３４に支持された固定極３３とをスペーサ部材を介して対向的に配置してなる音響電気変換器３が収納され、絶縁座３４に後部音響端子２２からの音波を振動板３１の背面側に導く音孔３４１が穿設され、絶縁座３４の後面側にその音孔３４１を塞ぐように音響抵抗材４が音響抵抗を調節可能として配置されている単一指向性コンデンサマイクロホンユニット１Ａにおいて、音響抵抗材４に、起毛パイル４１を用いる。【選択図】図１
2010288047.tif 000002
【特許請求の範囲】
【請求項１】
音源側に向けられる前部側に前部音響端子を有し、上記前部音響端子から所定距離離れた後部側に後部音響端子を備えているユニットケース内に、支持リングに張設された振動板と絶縁座の前面側に支持された固定極とをスペーサ部材を介して対向的に配置してなる静電型の音響電気変換器が収納され、上記絶縁座に上記後部音響端子からの音波を上記振動板の背面側に導く音孔が穿設され、上記絶縁座の後面側に上記音孔を塞ぐように音響抵抗材が音響抵抗を調節可能として配置されている単一指向性コンデンサマイクロホンユニットにおいて、
上記音響抵抗材が上記絶縁座の後面に対向して配置される抵抗板に植設された起毛パイルからなることを特徴とする単一指向性コンデンサマイクロホンユニット。
【請求項２】
上記抵抗板が上記絶縁座の軸方向に沿って移動可能であり、上記抵抗板が上記絶縁座に近づく方向に移動するに伴って上記起毛パイルの一部が変形して上記音響抵抗が調節されることを特徴とする請求項１に記載の単一指向性コンデンサマイクロホンユニット。
【請求項３】
上記絶縁座の後面側のほぼ中央には雄ネジ軸が突設されており、上記抵抗板が上記雄ネジ軸に螺合する雌ネジを有するナット板からなることを特徴とする請求項１または２に記載の単一指向性コンデンサマイクロホンユニット。
【請求項４】
上記起毛パイルにポリエステル繊維が用いられることを特徴とする請求項１ないし３のいずれか１項に記載の単一指向性コンデンサマイクロホンユニット。
【発明の詳細な説明】
【技術分野】
【０００１】
本発明は、単一指向性コンデンサマイクロホンユニットに関し、さらに詳しく言えば、ユニット内の後部側に配置される音響抵抗材に関するものである。
【背景技術】
【０００２】
コンデンサマイクロホンユニットは、金属材からなる円筒状のユニットケースを備えているが、図４に示すように、単一指向性コンデンサマイクロホンユニット（以下、単に「マイクロホンユニット」と言うことがある）１には、収音時に音源側に向けられる前部側（図４において左側）に前部音響端子２１を有し、前部音響端子２１から所定距離離れた後部側に後部音響端子２２を備えるユニットケース２が用いられる。
【０００３】
図４には、作図の都合上、前部音響端子２１は１つしか示されていないが、実際には、複数個が設けられている。また、この例では、ユニットケース２には、レゾネータ２ａが被せられている。なお、この例におけるマイクロホンユニット１は、図示しないマイクロホン本体に対して着脱可能な交換ユニットであり、使用時において、ユニットケース２の後部側は、上記マイクロホン本体により塞がれる。
【０００４】
ユニットケース２内には、静電型の音響電気変換器３が収納されている。音響電気変換器３には、対となって可変容量のコンデンサを形成する振動板３１と、固定極３３とが含まれている。
【０００５】
振動板３１は支持リング３２に張設され、固定極３３は合成樹脂製の絶縁座３４の前面側に固定され、これらが図示省略のスペーサリングを介して対向的に配置されている。
【０００６】
固定極３３と絶縁座３４には、後部音響端子２２から振動板３１の背面に至る後部音響通路に含まれる音孔（音波導入孔）３３１，３４１が穿設されている。
【０００７】
音源から到来する音波のうちの前部音響端子２１から入る音波は、振動板３１の前面に作用し、後部音響端子２２から入る音波は、上記後部音響通路を介して振動板３１の背面に作用し、これによってマイクロホンは単一指向性として動作する。
【０００８】
特許文献１に記載されているように、通常、絶縁座３４の後面側には、音孔３４１に対する音響抵抗材４が配置される。この音響抵抗材４の音響抵抗をｒ，振動板３１の背面側に存在する背部気室３ａの音響容量をｓとして、後部音響端子２２から入った音波は、音響抵抗ｒと音響容量ｓとで分割されて振動板３１の背面に加えられる。
【０００９】
通常、音響抵抗材４には、ウレタンを素材とする連続気泡のスポンジが用いられるが、単一指向性コンデンサマイクロホンユニットのうちで、正確な指向性を求められる機種では、音響抵抗材４の音響抵抗を調整式にして、音響抵抗をリニア的に細かく調整可能としている。
【００１０】
そのため、図５に示すように、絶縁座３４の後面側の中央部に円筒状の雄ネジ軸３４２を突設し、雄ネジ軸３４２に雌ネジ付きのナット状の抵抗板５を螺合して、抵抗板５により、音響抵抗材４の圧縮度（音響抵抗値）をリニア的に細かく調整可能としている。
【００１１】
図６（ａ）に音響抵抗材４の圧縮度を小さくした状態を示し、図６（ａ）に音響抵抗材４の圧縮度を大きくした状態を示す。なお、特許文献２によれば、音響抵抗材４の音響抵抗値を容易に基準ユニットの音響抵抗値に合わせることができる。
【先行技術文献】
【特許文献】
【００１２】
【特許文献１】実開平５−１１６９６号公報
【特許文献２】特開２００５−３２８３４７号公報
【発明の概要】
【発明が解決しようとする課題】
【００１３】
上記従来例によれば、抵抗板５を回すだけで音響抵抗材４の音響抵抗を細かく調整することができるが、音響抵抗材４に用いられているウレタンスポンジは、経年劣化により弾性力が低下しやすく、長期間使用によって音響抵抗値が変化し、ひいてはマイクロホン自体の音響特性が変化してしまうという問題があった。
【００１４】
そこで、経年劣化を抑制するため、ウレタンスポンジに加熱エージング処理を施し、物理的変化を少なくしたものを使用するようにしているが、加熱エージングには長時間を要するばかりでなく、その設備の導入費用がかかるため、生産性の面でも、また、コスト面でも好ましくない。
【００１５】
そこで、本発明の課題は、長期間にわたって安定した音響抵抗値を示す後部音響抵抗材を備えた単一指向性コンデンサマイクロホンユニットを提供することにある。
【課題を解決するための手段】
【００１６】
上記課題を解決するため、本発明は、音源側に向けられる前部側に前部音響端子を有し、上記前部音響端子から所定距離離れた後部側に後部音響端子を備えているユニットケース内に、支持リングに張設された振動板と絶縁座の前面側に支持された固定極とをスペーサ部材を介して対向的に配置してなる静電型の音響電気変換器が収納され、上記絶縁座に上記後部音響端子からの音波を上記振動板の背面側に導く音孔が穿設され、上記絶縁座の後面側に上記音孔を塞ぐように音響抵抗材が音響抵抗を調節可能として配置されている単一指向性コンデンサマイクロホンユニットにおいて、上記音響抵抗材が上記絶縁座の後面に対向して配置される抵抗板に植設された起毛パイルからなることを特徴としている。
【００１７】
本発明では、上記抵抗板が上記絶縁座の軸方向に沿って移動可能であり、上記抵抗板が上記絶縁座に近づく方向に移動するに伴って上記起毛パイルの一部が変形して上記音響抵抗が調節される。
【００１８】
本発明の好ましい態様によれば、上記絶縁座の後面側のほぼ中央には雄ネジ軸が突設されており、上記抵抗板が上記雄ネジ軸に螺合する雌ネジを有するナット板からなる。また、上記起毛パイルにポリエステル繊維が用いられることが好ましい。
【発明の効果】
【００１９】
本発明によれば、後部音響端子側に設けられる音響抵抗材として起毛パイルを用い、起毛パイルが多数植設された抵抗板を絶縁座に対して進退させてパイル間の空隙密度を調整するようにしたことにより、長期間にわたって音響特性が変化しにくいばかりでなく、生産性も向上する。さらには、ポリエステル製の起毛パイルを用いることで、より経年劣化を抑えることができる。
【図面の簡単な説明】
【００２０】
【図１】本発明の実施形態に係る単一指向性コンデンサマイクロホンユニットの内部構造を示す断面図。
【図２】上記マイクロホンユニットにおける固定極側の分解断面図。
【図３】上記マイクロホンユニットにおける音響抵抗材の調整状態を示す断面図。
【図４】従来例に係る単一指向性コンデンサマイクロホンユニットの内部構造を示す断面図。
【図５】上記従来例における固定極側の分解断面図。
【図６】上記従来例における音響抵抗材の調整状態を示す断面図。
【発明を実施するための形態】
【００２１】
次に、本発明の実施形態について、図１〜図３を参照しながら説明するが、本発明はこれに限定されるものではない。なお、先の図４以下で説明した上記従来例と同一もしくは同一とみなされる構成要素には同じ参照符号を付している。
【００２２】
図１に示すように、この実施形態に係るマイクロホンユニット１Ａは、単一指向性であることから、上記従来例と同じく、ユニットケースには、収音時に音源側に向けられる前部側（図４において左側）に前部音響端子２１を有し、前部音響端子２１から所定距離離れた後部側に後部音響端子２２を備えるユニットケース２が用いられる。
【００２３】
図１にも、作図の都合上、前部音響端子２１は１つしか示されていないが、実際には、複数個が設けられている。また、ユニットケース２には、レゾネータ２ａが被せられているが、レゾネータ２ａは省略されてもよい。
【００２４】
なお、この例におけるマイクロホンユニット１は、図示しないマイクロホン本体に対して着脱可能な交換ユニットであり、使用時において、ユニットケース２の後部側は、上記マイクロホン本体により塞がれる。
【００２５】
これとは別に、ユニットケース２の後部側に図示しない回路基板が配置されてもよい。その場合には、回路基板に後部音響端子が穿設され、また、インピダーンス変換器としてのＦＥＴ（電界効果トランジスタ）等が実装される。
【００２６】
ユニットケース２内には、静電型の音響電気変換器３が収納されている。音響電気変換器３には、対となって可変容量のコンデンサを形成する振動板３１と、固定極３３とが含まれている。
【００２７】
振動板３１は支持リング（ダイアフラムリング）３２に張設され、固定極３３は合成樹脂製の絶縁座３４の前面側（振動板と対向する面側）に固定され、これらが図示省略のスペーサリングを介して対向的に配置されている。
【００２８】
この実施形態において、ユニットケース２の内面には、雌ネジ２ｂが形成されており、音響電気変換器３は、雌ネジ２ｂに螺合するロックリング７によってユニットケース２内に固定されているが、ユニットケース２が例えばアルミニウムのプレス成形品からなる場合には、その後部開口端縁を内側に向けてかしめて固定されてもよい。
【００２９】
固定極３３と絶縁座３４には、後部音響端子２２から振動板３１の背面に至る後部音響通路に含まれる音孔（音波導入孔）３３１，３４１が穿設されている。
【００３０】
上記従来例でも説明したように、音源から到来する音波のうちの前部音響端子２１から入る音波は、振動板３１の前面に作用し、後部音響端子２２から入る音波は、上記後部音響通路を介して振動板３１の背面に作用し、これによってマイクロホンは単一指向性として動作する。
【００３１】
絶縁座３４の後面側には、音孔３４１に対する音響抵抗材４が配置され、この音響抵抗材４の音響抵抗をｒ，振動板３１の背面側に存在する背部気室３ａの音響容量をｓとして、後部音響端子２２から入った音波は、音響抵抗ｒと音響容量ｓとで分割されて振動板３１の背面に加えられる。
【００３２】
音響容量ｓは設計段階で決められるため、組立後において、単一指向性のポーラパターンを要求されたものとするには、音響抵抗ｒを調整することになる。音響抵抗材４には、調整後の音響抵抗ｒを長期間にわたって安定して示すことが要求される。そこで、本発明では、音響抵抗材４として起毛パイル４１を使用する。
【００３３】
この実施形態においても、図２に示すように、絶縁座３４の後面側の中央部に円筒状の雄ネジ軸３４２が突設され、この雄ネジ軸３４２に雌ネジ付きのナット状の抵抗板５が螺合される構成を備えていることから、抵抗板５の絶縁座３４と対向する面側に起毛パイル４１を植毛している。
【００３４】
絶縁座３４の音孔３４１は、通常、雄ネジ軸３４２を中心とする同心円上に複数個が配置されることから、抵抗板５には、その音孔３４１の全部を覆い得る外径を有するナット板が用いられる。なお、参照符号６が付されている部品は、雄ネジ軸３４２に嵌合され、図示いない導電手段を介して固定極３３と接続される電極ロッドで、電極ロッド６はＦＥＴのゲートと接続される。
【００３５】
起毛パイル４１には、合成樹脂繊維のほかに天然繊維等を用いることができるが、経年変化が少ないポリエステルパイルが好ましい。この実施形態では、ポリエステルパイル３．３デシックス，長さ０．８ｍｍを採用し、抵抗板５に静電植毛している。植設密度は任意に決められてよい。
【００３６】
これによれば、雄ネジ軸３４２に抵抗板５をねじ込み、絶縁座３４側に近づくように回してゆくと、起毛パイル４１の先端が、図３（ａ）の状態から、図３（ｂ）の状態へと揃って同じ方向に次第に倒れ込むため、起毛パイル４１間の隙間が小さくなり、その結果、音響抵抗値が高くなる。
【００３７】
このように、本発明によれば、抵抗板５のねじ込み量に応じて、起毛パイル４１による音響抵抗値をリニア的に調整することができ、しかも、調整後における音響抵抗値を長期間にわたって安定に維持することができる。
【００３８】
なお、上記実施形態では、起毛パイル４１は静電植毛によって抵抗板５に植設されているが、これ以外に、例えば起毛パイル４１があらかじめ植設されたシートを抵抗板５に貼り付けてもよい。
【００３９】
また、抵抗板５を雄ネジ軸３４２に螺合するナット板に代えて、例えば中心孔に花弁状の複数のバネ舌片を有するワッシャ板に起毛パイル４１を植設して、そのワッシャ板を上記雄ネジ軸３４２もしくはこれに相当する支軸に嵌合させて、上記バネ舌片により、上記ワッシャ板を所定位置に係止させるようにしてもよく、このような態様も、本発明に含まれる。
【符号の説明】
【００４０】
１Ａ  コンデンサマイクロホンユニット
２  ユニットケース
２１  前部音響端子
２２  後部音響端子
３  音響電気変換器
３１  振動板
３２  支持リング
３３  固定極
３４  絶縁座
３３１，３４１  音孔（音波導入孔）
３４２  雄ネジ軸
４  音響抵抗材
４１  起毛パイル
５  抵抗板
【図１】
2010288047.tif 000003
【図２】
2010288047.tif 000004
【図３】
2010288047.tif 000005
【図４】
2010288047.tif 000006
【図５】
2010288047.tif 000007
【図６】
2010288047.tif 000008